(57)【特許請求の範囲】
【請求項１】
隅部接合箇所において相互に接続された上部部材（６）、底部部材（７）および２つの側辺部材（４，５）を備えたフレーム、および
複数の取り付けブラケット（１０）からなり、
屋根構造の窓の取り付け位置において前記フレームの前記側辺部材、前記上部および底部部材が、それぞれ、垂木要素（２）および目板要素（３，８，９）に対して略平行に延び、
各取り付けブラケット（１０）が前記フレームとの接続のための第１脚部部分（１１）および前記第１脚部部分に対して略垂直でかつ前記屋根構造に固定され得る第２脚部部分（１２）からなっている、屋根構造に取り付けのための窓において、
各ブラケットがガセット要素として設計され、前記第１脚部部分（１１）が前記隅部接合箇所で接合する前記フレームを構成する部材のうちの２部材と接続のために互いに略垂直な２つの脚部部片（１１ａ，１１ｂ）を有することを特徴とする屋根構造に取り付けのための窓。
【請求項２】
前記第２脚部部分（１２）が一平面内に置かれた２枚の板形状脚部部片（１２ａ，１２ｂ）として形成され、各々、前記第１脚部部分の前記脚部部片（１１ａ，１１ｂ）に対して垂直でありかつそれと一体に接続されることを特徴とする請求項１に記載の屋根構造に取り付けのための窓。
【請求項３】
前記第２脚部部分の前記２つの脚部部片（１２ａ，１２ｂ）が前記隅部接合箇所における接合面に対し対称的に設計され、前記第１脚部部分の前記脚部部片（１１ａ，１１ｂ）に平行に延びる辺を有していることを特徴とする請求項２に記載の屋根構造に取り付けのための窓。
【請求項４】
前記脚部部片（１２ａ，１２ｂ）が平行四辺形として設計されていることを特徴とする請求項３に記載の屋根構造に取り付けのための窓。
【請求項５】
前記フレームが、前記隅部接合箇所での少なくとも１区域に、各フレーム部材の長手方向に延びる溝を有しており、そして前記第２脚部部分に対して反対の端部において、前記取り付けブラケット（１０）が前記溝に挿入されるように前記第１脚部部分の各脚部部片（１１ａ，１１ｂ）に対して垂直なフランジ（１３ａ，１３ｂ）を備えていることを特徴とする請求項１，２，３および４のいずれか１項に記載の屋根構造に取り付けのための窓。
【請求項６】
隣接した窓の取り付けブラケットとの接続のために前記第２脚部部片（１２ａ，１２ｂ）の各横方向縁部には係合手段が設けられていることを特徴とする請求項３ないし５のいずれか１項に記載の屋根構造に取り付けのための窓。
【請求項７】
前記係合手段が少なくとも１つの凹凸形状（１６，１７，２０，１９）に設計されることを特徴とする請求項６に記載の屋根構造に取り付けのための窓。
【請求項８】
前記接合箇所からの距離において各取り付けブラケットの前記第２脚部部分（１２）が、取り付けられた位置において、屋根構造に向かう方向に折り曲げられる、少なくとも１つの部分的に打ち抜きされたフラップ（１４）を備えていることを特徴とする請求項１ないし７のいずれか１項に記載の屋根構造に取り付けのための窓。
【請求項９】
第１脚部部分（１１）および前記第１脚部部分に対して略垂直な第２脚部部分（１２）からなっている、屋根構造に、請求項１ないし８のいずれか１項に記載の窓を取り付けるための取り付けブラケットにおいて、前記取り付けブラケットがガセット要素として設計され、前記第１脚部部分（１１）が接合箇所において略垂直な２つの脚部部片（１１ａ，１１ｂ）を有することを特徴とする取り付けブラケット。
【請求項１０】
前記第２脚部部分（１２）が一平面内に置かれた２枚の板形状脚部部片（１２ａ，１２ｂ）として設計され、各々、前記第１脚部部分の関連の脚部部片（１１ａ，１１ｂ）に対して垂直でありかつ一体に接続されることを特徴とする請求項１に記載の取り付けブラケット。
【請求項１１】
前記第２脚部部分の前記２つの脚部部片（１２ａ，１２ｂ）が前記第１脚部部分の前記脚部部片（１１a，１１ｂ）の交差面に対して対称的に設計され、前記第１脚部部分の前記脚部部片に平行に延びる辺を有することを特徴とする請求項１０に記載の取り付けブラケット。
【請求項１２】
前記脚部部片（１２ａ，１２ｂ）が平行四辺形として設計されていることを特徴とする請求項１１に記載の屋根構造に取り付けのための窓。
【請求項１３】
前記第２脚部部分に対して反対の端部において前記第１脚部部分の各脚部部片（１１ａ，１１ｂ）上で、フランジが前記脚部部片（１１ａ，１１ｂ）に対して垂直に設けられる（１３ａ，１３ｂ）ことを特徴とする請求項９ないし１２のいずれか１項に記載の取り付けブラケット。
【請求項１４】
前記第２脚部部分の前記第２脚部部片（１２ａ，１２ｂ）の各横方向縁部が隣接した窓の取り付けブラケットと係合する係合手段を備えていることを特徴とする請求項１１ないし１３のいずれか１項に記載の取り付けブラケット。
【請求項１５】
前記係合手段が少なくとも１つの凹凸形状（１６，１７，２０，１９）に設計されることを特徴とする請求項１４に記載の取り付けブラケット。
【請求項１６】
前記第２脚部部分（１２）は前記第１脚部部分（１１）に向かう方向に折り曲げられる部分的に打ち抜かれたフラップ（１４）を備えていることを特徴とする請求項９ないし１５のいずれか１項に記載の取り付けブラケット。
【発明の詳細な説明】
【０００１】
（技術分野）
本発明は、隅部接合箇所において相互に接続された上部部材、底部部材および２つの側辺部材を備えたフレーム、および複数の取り付けブラケットからなり、そしてそこで窓の取り付け位置において前記フレームの前記側辺部材および前記上部および底部部材が、屋根構造において、それぞれ、垂木要素および目板要素に対して実質上平行に延び、そして各取り付けブラケットが関連のフレーム部材と接続のための第１脚部部分およびこの第１脚部部分に対して実質上垂直でかつ前記屋根構造に固定され得る第２脚部部分からなっている、屋根構造に取り付けのための窓に関する。
【０００２】
（背景技術）
例えば、国際公開パンフレットＷＯ８８／０４３４８から知られる、この種の窓は、多数の、通常、４または６の断面Ｌ−形状の固定アングルが１本の脚部によってフレームの側辺部分に固定される方法において屋根構造に係留され、そして窓はその場合に屋根の開口に取り付けられかつ直ぐ下にある屋根構造、垂木または目板にネジで第２の脚部に固定される。
【０００３】
しかしながら、取り付け前に、目板間の間隔およびそれらの位置決めが、取り付けブラケットが直ぐ下にある屋根構造に、それとも垂木要素かまたは代替的に前記垂木要素に対して平行にかつその上に配置された対向目板に取り付けられるとき、切断された目板端部と反対に配置されるのを回避するために測定されねばならない。
【０００４】
この測定は明らかな誤りの源でありそして取り付けの間中かなりの遅れの理由が、間違った測定として、取り付けブラケットが窓が屋根の開口に取り付けられた後除去されねばならないことを暗示するかも知れない。とくに、２つまたはそれ以上の窓を互いに続いて取り付けるとき、この測定はフレーム側辺部材に対して垂直な取り付けブラケットの脚部が屋根構造に対して良好な当接を保証するために一定の長さを必然的に持たねばならずそしてしたがって、窓間の距離に依存して、互いに対向して配置されていない隣りの窓の２つの隣接するフレーム側辺部材上の取り付けブラケットを結果として生じるかもしれいない。
【０００５】
それゆえ、本発明の目的は、窓の取り付けに関連して最適な合理化を結果として有し、かつ同時に、誤った測定および取り付けの危険が最小にされる、関連の取り付けブラケットを備えた窓を提供することにある。
【０００６】
（発明の開示）
本発明によれば、これは、各ブラケットがガセット要素として設計され、第１脚部部分がこの接合箇所で隣接するフレーム部材と接続のために互いに実質上垂直な２つの脚部部片として形成される方法において得られる。
【０００７】
かかる窓によって、所望の簡単な取り付けは、窓が、従前の測定なしにかつ目板の間隔に対して特定の考慮なしに正しく容易に位置決めされ得る方法において得られる。窓は各フレーム隅部接合箇所に設けられる取り付けブラケットにより屋根の開口に収容されそしてそれぞれ、フレーム上部および底部部材の情報または下方で連続する目板上にまたは好ましくはそれに対して平行に延びておりかつ他の目板に対して平行に位置決めされている補助目板部片上に置かれる。続いて、窓は目板要素を通ってかつ直ぐ下にある垂木構造において下方で取り付けブラケットの第２脚部部分に取り付けネジを螺合することにより屋根構造に固定される。
【０００８】
好都合な実施例において、第２脚部部分が１平面内に置かれた２枚の板形状脚部部片として設計され、各々、第１脚部部分の関連の脚部部片に対して垂直でありかつそれと一体に接続されている。この方法において、窓と屋根構造との間のさらに他の改良された当接は隅部接合箇所の実際の補強が達成されると直ぐに得られる。
【０００９】
第２脚部部分の２つの脚部部片が、好ましくは、２つの隣接するフレーム部材のかつ関連のフレーム部材に対して平行に延びている側辺との隅分接合箇所のための交差している平面に関連して実質上対称的に設計されている。標準化を得ることに加えて、１つおよび同一のブラケットが窓の隅部接続箇所のすべてに取り付けられ得るとき、この実施例はより多くの窓の取り付けがさらにまたは互いに超えて簡単かつ好都合な方法において行われることを伴う。
【００１０】
この実施例のさらに他の展開において、脚部部片が実質上平行四辺形として設計され、そのさい上方から見た取り付けブラケットは矢じり状にされている。これは、さらに、幾つかの取り付けブラケットが帯片材料ブランクから製造されかつ２つの脚部部分を形成するように折り畳まれそして一方が他方の上部に堆積され得るため、製造技術および保管に関して利点を伴う。
【００１１】
好適な実施例において、フレームは、２つの隣接するフレーム部材間の隅部都合箇所での少なくとも１つの区域において、各フレーム部材の長手方向に延びている溝を有し、そして第２脚部部分に対して反対の端部において、取り付けブラケットが前記溝に挿入されるように第１脚部部分の各脚部部片に対して垂直なフランジを備えている。この実施例はブラケットとフレームとの間のとくに良好なかつ確実な接続を提供し、さらに他の簡単化された取り付けにおいて、組立て者はフレーム部材の垂直方向に取り付けブラケットを取り付けるように指示されそして周囲の屋根に対する的の位置決めが決定される。
【００１２】
互いに続いておよび／または上下に窓を取り付けるときにとくに好都合である特別な実施例において、隣りの窓の取り付けブラケットとの接続のために第２脚部部片の各横方向縁部には係合手段が設けられ、それによりこのように配置された窓の取り付けおよび一直線に整列する作業がかなり容易にされる。
【００１３】
これらの係合手段は、好ましくは、少なくとも１つの凹凸形状に設計される。
【００１４】
窓の取り付けられた位置におけるフレームの簡単な外側取り付けを設けるために、取り付けブラケットは、取り付けられた位置において、屋根構造に向かう方向に折り畳まれる、少なくとも１つの部分的に打ち抜きされたフラップを備えている。このフラップは、上下の、それぞれ、例えば、絶縁材料の板がフレームと屋根構造との間に挿入され得るようにフレームの上部および底部部材の目板要素に対する距離が印を付けられる。
【００１５】
本発明の他の態様において、請求項９ないし１６に記載された特徴を備えた取り付けブラケットが得られる。
【００１６】
本発明を、以下で、概略図を参照してより詳細に説明する。
【００１７】
（実施例）
図１において、窓１は屋根の傾斜の方向に延びている垂木２およびこれに対して垂直に置かれた目板３からなっている傾斜屋根構造における取り付け位置において示されている。明瞭にするために、窓１の外方のフレームのみが垂木２に対して平行に延びている２つの側辺部材４，５および目板に対して平行に延びている上部部材６および底部部材７とともに示されている。補助目板８が、補助目板９が上部部材６の上方に置かれたと同様に、底部部材７の下で最後の連続する目板３の上方に置かれている。図示しない取り付け位置において、少なくとも下方の補助目板が雨押さえが、続いて、好ましくは、安全な防水雨押さえを得るために不規則な変形によってそれに適合すべきことなく満足の行く方法において配置されるような方法において屋根材料の位置決めに譲るために最も近い連続する屋根目板から適宜な距離に置かれている。
【００１８】
フレーム部材４〜７は隅部接合箇所において互いに接続され、それによってフレームは取り付けブラケット１０を介して、ネジ（図示せず）が補助目板８，９によってかつさらに直ぐ下にある垂木２に下方に導かれることにより屋根構造に係留される。
【００１９】
図２〜６には、かかるブラケットの異なる実施例が示されている。同一または類似の機能を有する部品は種々の実施例が説明されるときすべて同一の参照番号を有している。
【００２０】
図２に示されるように、取り付けブラケット１０は隅部接合箇所の交差平面に対応する対称平面と対称なガセット要素として設計されている。ブラケット１０は、例えば、それぞれ、フレーム底部部材７および側辺部材５に固着されるように向けられる２つの長方形の脚部部片１１ａ，１１ｂからなっている第１脚部部分１１を有している。２枚のプレート形状の脚部部片１２ａ，１２ｂが脚部部片１１ａ，１１ｂに対して垂直に延びかつ第２脚部部分１２をともに形成し、この第２脚部部分は、取り付け位置において、目板３の上部側に対するまたは図１に示されるように、好ましくは、下方または上方補助目板８または９に対する当接のために向けられる。脚部部分１２ａ，１２ｂは、上方から見た取り付けブラケット１０が、頭部が、図１から現れるように、フレームの隅部接合箇所から離れて向いている場合に、矢じりの形にされるように平行四辺形として実質上形成されている。
【００２１】
反対方向において、フランジ１３ａ，１３ｂは第１脚部部分１１の各脚部部片に対して垂直に延びており、１つのフランジ１３ａのみが図２に示されている。フランジ１３ａ，１３ｂはフレーム部材の溝への挿入のために向けられ、フレーム部材は１つの円形の溝、またはフレーム上の異なる高さにおいてより多くの溝または単に隅部接合箇所に設けられる溝を備えることができる。
【００２２】
第２脚部部分１２は、２つの脚部部片１２ａ，１２ｂ間の分割線においてかつ第１脚部部分との接続からの或る距離において、部分的に打ち抜かれたフラップ１４を備え、このフラップ１４は、取り付け前に、好ましくは製造の間中、第１脚部部分１１に向かう方向に、すなわち、屋根構造に向かう取り付け位置において下方に折り畳まれる。折り畳まれかつ取り付けられた位置において、このフラップは直ぐ下にある目板要素の側に対して当接しかつ目板要素が常に、例えば、絶縁材料からなる板がこの中間面に挿入され得るようにフレームの上部または底部部材に対して最小の距離を保持することを引き起こす。ブラケットが平らな支持部分上に直接置かれ場合の、例えば、コンクリート屋根または他の「平たい」構造のような他の屋根構造において、フラップは脚部部分１１と面一であるように後方に向かって屈曲可能である。
【００２３】
最後に、第２脚部部分１１において取り付けブラケット１０は、この取り付けブラケット１０がフレーム隅部のまわりに位置決めされかつフランジ１３ａ，１３ｂがフレーム部材の関連の溝に嵌合された後、目板要素の下にかつさらに直ぐ下にある垂木高層の下に螺合されるネジを受容するのに役立つ多数の好ましくは凹まされた穴１５を有している。
【００２４】
好適な取り付け位置において、補助目板は単なる支持体またはスペーサ部片として役立っており、そして補助目板は２つの別個の部品に分割され得る。したがって、構造は負荷伝達が取り付けブラケットからかつ屋根目板の品質が二次的である場合に最も安全な負荷伝達を提供する取り付けネジを介して直ぐ下にある垂木構造の下に直接通される。
【００２５】
取り付けブラケットのさらに他の実施例が図３および図４に示される。上述した実施例に関連して差異のみを詳細に説明する。
【００２６】
第２脚部部分１２の１方の脚部部片の横方向縁部において、第２脚部部片１２ｂの横方向縁部上の凹所１７に対して補完の形状を有している半円形の筒状突起１６が設けられる。以下でさらに説明する製造技術の理由のために、フランジ１３ａは対応する凹所１８を有するが、この凹所は、しかしながら、フレーム部材への取り付けブラケットの固着に影響を持たない。
【００２７】
さらに、フランジ１３ｂは、対称面から離れて面しているその端部において、鎖線の折り畳み線１３ｄのまわりに好ましくは４５°の角度において下方に折り畳まれたフラップ１３ｃを備えている。かくして、フレームの溝に１つの穴を穿孔することにより、ブラケット１０がフレームに、１つの方法において、すなわち、穴に入り込むフラップ１３ｃを有することにより取り付けられ得ることが保証されることが可能である。
【００２８】
図４に示されるように、突起１６および凹所１７は２つの窓を並んでかつこの場合に、互いの上に集積するときて互いにブラケットの固定のための係合手段として役立っている。窓１用の取り付けブラケット１０は、したがって、側部に置かれた窓上の対応する取り付けブラケット１１０とかつ下方に置かれた窓２０１上の取り付けブラケット２１０と係合している。取り付けブラケット１１０および２１０は各側で、第４の窓３０１上の取り付けブラケット３１０と係合している。４つのすべての取り付けブラケット１０，１１０，２１０，３１０は上述した方法において屋根構造の目板３および垂木２に固着されそして折り畳まれたフラップ１４，１１４，２１４，３１４は目板３の側に当接しそれに反して垂木２はフラップを妨げられることなく回避する。
【００２９】
図５は本発明による取り付けブラケット１０の製造の間中の工程を示している。図６に示されかつ４つの将来の取り付けブラケットからなっている帯片材料ブランクから、完成つれた取り付けブラケットの種々の細部が打ち抜かれる。すなわち、フラップ１４、固着穴１５、係合手段１６，１７および第１脚部部材の２つの脚部部片１１ａおよび１１ｂとの間の分割線を形成するスロット２１とともにさらに他の係合手段１９，２０が打ち抜かれる。帯片材料ブランクを４つの部分に分割した後、各部分は、それぞれ、フランジ１３ａ，１３ｂおよび第１脚部部分１１の脚部部片１１ａ，１１ｂを形成するように鎖線２２ａ，２２ｂおよび破線の折り畳み線２３ａ，２３ｂに沿って第２脚部部分１２に対して折り畳まれそして最後に、フラップ１４は第２脚部部分１２を通る平面に対して所望の角度において折り畳まれる。
【００３０】
取り付けブラケットは上述された実施例において実質上同一の形状を有しているけれども、変更はもちろん特許請求の範囲の枠内で可能である。例えば、ブラケットは各脚部部片１２ａ，１２ｂに対称的に位置決めされる２つのフラップ１４（図示せず）を備えることができる。
【図面の簡単な説明】
【図１】  傾斜屋根に取り付けられた本発明による窓を示す斜視図である。
【図２】  本発明による取り付けブラケットの実施例を示す斜視図である。
【図３】  本発明による取り付けブラケットの第２の実施例を示す平面図である。
【図４】  図３に示した取り付けブラケットの幾つかによって本発明による４つの窓の集積を示している縮尺した平面図である。
【図５】  製造工程中の本発明による取り付けブラケットの他の実施例を示している平面図である。
【図６】  図５に示したような一連の取り付けブラケットの製造用の材料ブランクを縮尺で示す平面図である。
【図１】
0004274694.tif 000002
【図２】
0004274694.tif 000003
【図３】
0004274694.tif 000004
【図４】
0004274694.tif 000005
【図５】
0004274694.tif 000006
【図６】
0004274694.tif 000007